(57)【特許請求の範囲】
【請求項１】
ＦＡＸ原稿をメールの添付ファイルとして送信するメールサーバから、前記メールサーバ上のメールの数と個々のメールのサイズを取得し、前記メールサーバにあるメールを受信し、受信メールを前記メールサーバから削除するメール受信制御部と、
前記受信メールを蓄積するメールデータ蓄積部と、
前記受信メールのサイズに応じて、前記蓄積されたメールに添付されたＦＡＸ原稿を出力する出力制御部と
を具備し、
前記メール受信制御部は、前記メールサーバ上の個々のメールのヘッダー情報を受信し、受信したヘッダー情報に基づいて、分割メールであるか否か判断し、分割メールである場合、分割メールの合計サイズを受信メールのサイズとして扱い、前記受信メールのサイズが装置受信可能容量を超えるメールと認識した場合、送信元の識別情報を容量超過データ送信者として履歴に残し、該送信元が所定期間内に所定の回数、装置受信可能容量を超えるメールを送信してきたという条件に該当した場合、前記条件に該当した時点から一定期間、該送信元からのメールの受信を拒否する設定を行う
電子メール対応ファクシミリ装置。
【請求項２】
請求項１に記載の電子メール対応ファクシミリ装置であって、
前記メール受信制御部は、
前記メールサーバ上の個々のメールのうち、先頭のメールのヘッダー情報を受信し、受信したヘッダー情報に基づいて、前記先頭のメールが分割メールであるか否か判断する手段と、
前記先頭のメールが分割メールである場合、他のメールのヘッダー情報を受信し、受信したヘッダー情報に基づいて、前記先頭のメールの続きの分割メールであるか否か判断する手段と、
当該分割メール全ての合計サイズを受信メールのサイズとして扱い、当該分割メール全てを受信し、受信した分割メール全てを前記メールサーバ上から削除する手段と
を具備する
電子メール対応ファクシミリ装置。
【請求項３】
請求項１又は２に記載の電子メール対応ファクシミリ装置であって、
転送先のメールアドレスを取得し、取得したメールアドレスを送信先として、前記蓄積されたメールを送信するメール送信制御部と、
前記メール受信制御部、前記出力制御部、及び前記メール送信制御部を制御する主制御部と
を更に具備し、
前記主制御部は、
前記メール受信制御部から前記受信メールのサイズの通知を受け取り、前記メール受信制御部に対して、前記メールサーバにあるメールの受信を指示する手段と、
前記受信メールのサイズが受信可能容量を超えていた場合、前記メール送信制御部に対して、前記蓄積されたメールの転送を指示する手段と、
前記受信メールのサイズが受信可能容量を超えていない場合、前記出力制御部に対して、前記蓄積されたメールに添付されたＦＡＸ原稿の出力を指示する手段と
を具備する
電子メール対応ファクシミリ装置。
【請求項４】
電子メール対応ファクシミリ装置により実施されるＦＡＸ原稿処理方法であって、
ＦＡＸ原稿をメールの添付ファイルとして送信するメールサーバから、前記メールサーバ上のメールの数と個々のメールのサイズを取得することと、
前記メールサーバ上の個々のメールのヘッダー情報を受信し、受信したヘッダー情報に基づいて、分割メールであるか否か判断することと、
分割メールである場合、分割メールの合計サイズを受信メールのサイズとして扱うことと、
前記受信メールのサイズが装置受信可能容量を超えるメールと認識した場合、送信元の識別情報を容量超過データ送信者として履歴に残すことと、
該送信元が所定期間内に所定の回数、装置受信可能容量を超えるメールを送信してきたという条件に該当した場合、前記条件に該当した時点から一定期間、該送信元からのメールの受信を拒否する設定を行うことと、
前記メールサーバにあるメールを受信し、受信メールを前記メールサーバから削除することと、
前記受信メールを蓄積することと、
前記受信メールのサイズに応じて、前記蓄積されたメールに添付されたＦＡＸ原稿を出力することと
を含む
ＦＡＸ原稿処理方法。
【請求項５】
請求項４に記載のＦＡＸ原稿処理方法であって、
前記メールサーバ上の個々のメールのうち、先頭のメールのヘッダー情報を受信し、受信したヘッダー情報に基づいて、前記先頭のメールが分割メールであるか否か判断することと、
前記先頭のメールが分割メールである場合、他のメールのヘッダー情報を受信し、受信したヘッダー情報に基づいて、前記先頭のメールの続きの分割メールであるか否か判断することと、
当該分割メール全ての合計サイズを受信メールのサイズとして扱い、当該分割メール全てを受信し、受信した分割メール全てを前記メールサーバ上から削除することと
を更に含む
ＦＡＸ原稿処理方法。
【請求項６】
請求項４又は５に記載のＦＡＸ原稿処理方法であって、
受信メールのサイズの通知を受け取り、前記メールサーバにあるメールを受信することと、
前記受信メールのサイズが受信可能容量を超えていた場合、転送先のメールアドレスを取得し、取得したメールアドレスを送信先として、前記蓄積されたメールを転送することと、
前記受信メールのサイズが受信可能容量を超えていない場合、前記蓄積されたメールに添付されたＦＡＸ原稿を出力することと
を更に含む
ＦＡＸ原稿処理方法。
【請求項７】
ＦＡＸ原稿をメールの添付ファイルとして送信するメールサーバから、前記メールサーバ上のメールの数と個々のメールのサイズを取得するステップと、
前記メールサーバ上の個々のメールのヘッダー情報を受信し、受信したヘッダー情報に基づいて、分割メールであるか否か判断するステップと、
分割メールである場合、分割メールの合計サイズを受信メールのサイズとして扱うステップと、
前記受信メールのサイズが装置受信可能容量を超えるメールと認識した場合、送信元の識別情報を容量超過データ送信者として履歴に残すステップと、
該送信元が所定期間内に所定の回数、装置受信可能容量を超えるメールを送信してきたという条件に該当した場合、前記条件に該当した時点から一定期間、該送信元からのメールの受信を拒否する設定を行うステップと、
前記メールサーバにあるメールを受信し、受信メールを前記メールサーバから削除するステップと、
前記受信メールを蓄積するステップと、
前記受信メールのサイズに応じて、前記蓄積されたメールに添付されたＦＡＸ原稿を出力するステップと
を電子メール対応ファクシミリ装置に実行させるための
プログラム。
【請求項８】
請求項７に記載のプログラムであって、
前記メールサーバ上の個々のメールのうち、先頭のメールのヘッダー情報を受信し、受信したヘッダー情報に基づいて、前記先頭のメールが分割メールであるか否か判断するステップと、
前記先頭のメールが分割メールである場合、他のメールのヘッダー情報を受信し、受信したヘッダー情報に基づいて、前記先頭のメールの続きの分割メールであるか否か判断するステップと、
当該分割メール全ての合計サイズを受信メールのサイズとして扱い、当該分割メール全てを受信し、受信した分割メール全てを前記メールサーバ上から削除するステップと
を更に電子メール対応ファクシミリ装置に実行させるための
プログラム。
【請求項９】
請求項７又は８に記載のプログラムであって、
受信メールのサイズの通知を受け取り、前記メールサーバにあるメールを受信するステップと、
前記受信メールのサイズが受信可能容量を超えていた場合、転送先のメールアドレスを取得し、取得したメールアドレスを送信先として、前記蓄積されたメールを転送するステップと、
前記受信メールのサイズが受信可能容量を超えていない場合、前記蓄積されたメールに添付されたＦＡＸ原稿を出力するステップと
を更に電子メール対応ファクシミリ装置に実行させるための
プログラム。
【発明の詳細な説明】
【技術分野】
【０００１】
本発明は、電子メール対応ファクシミリ装置に関し、特にメールサイズを確認する電子メール対応ファクシミリ装置に関する。
【背景技術】
【０００２】
インターネットＦＡＸ（Ｆａｃｓｉｍｉｌｅ）サービスを利用できる電子メール対応ファクシミリ装置（以下、ＦＡＸ装置と呼ぶ）では、ＦＡＸ原稿を電子メール（以下、メールと呼ぶ）の添付ファイルにして送受信を行う機能を有している。
【０００３】
ＦＡＸ原稿は、Ａ４サイズ以上の画像ファイルとなるため、文字だけのメールと比べてメールの容量が大きくなる。
【０００４】
会社の支店等、小規模な店舗におかれるパーソナルファクシミリでは、コスト等の関係でメモリ容量はあまり大きくできない。そのため、容量の大きなメールが送られてきた時に、パーソナルファクシミリでは当該メールを受信、及び処理できず、送られてきたメールをメールサーバに残し、パソコン等の他の装置で該当のメールサーバに接続してメールを受信、削除しなくてはならないという問題があった。
【０００５】
従来の電子メール対応ファクシミリ装置（ＦＡＸ装置）では、ＦＡＸ装置の受信可能容量を超えるメールを受信した場合、メール内容（ＦＡＸ原稿）を印刷できない旨を記載したレポートを印刷し、受信したメールをメールサーバから削除しないようにしていた。
【０００６】
メールサーバに残されたメールについては、利用者がパソコン等の他の装置を用いてメールサーバから受信し、メールサーバ上のメールを削除することになる。しかし、利用者が上記操作を行わなかった場合、メールサーバにメールが残ったままとなり、同種のメール件数が増え、最終的にメールサーバの受信容量を超え、メール受信ができなくなってしまうという問題があった。
【０００７】
他の方法として、特開２００５−２２９２９４号公報（特許文献１）のように、機器管理専用の端末を用意し、専用端末にメール受信を依頼し、受信、削除する方法が提案されている。しかし、この場合、受信依頼のメールを受けて該当するメールのみ受信する仕組みを持った専用の端末を用意する必要があった。
【０００８】
関連する技術として、特開２００２−０５７６９５号公報（特許文献２）にファクシミリサーバと該サーバを用いた通信方法が開示されている。この関連技術では、ファクシミリサーバが、電子メールのデータサイズをメールサーバに問い合わせると共に、受信可能なデータサイズを検出し、電子メールのデータサイズが大き過ぎる場合に、メールをパケット単位で受信して、転送先又はメールの送信元へパケット単位で送信する。
【０００９】
上記の技術を用いることで、電子メールのデータサイズが大き過ぎる場合に、メールデータ全てを装置側に受信することなく、メールデータの一部を受信した時点でメールを転送するようにすることが可能になる。これにより、メールサイズが装置の受信可能容量を超えていても対応することができる。
【００１０】
また、特開２００３−２０９６５６号公報（特許文献３）にファクシミリ装置が開示されている。この関連技術では、ファクシミリ装置の制御ユニットは、原稿の画像情報を読み取り画像データを出力する画像情報読取手段と、画像データの送受信手段と、電子メールの受信プロトコルと送信プロトコルとを処理する手段と、メールデータを転送する転送先アドレスを登録する手段とを有する。ファクシミリ装置の制御ユニットは、指定された転送先アドレス又はそのメールデータのヘッダーに含まれる転送先アドレスを宛先として、受信したメールデータを送信メールサーバに転送する。これにより、ファクシミリ装置において、記憶装置の容量を超える容量の大きいメールデータが廃棄されることなくファクシミリ出力できるようにする。
【００１１】
また、特開平０９−２００４８２号公報（特許文献４）に画像形成装置が開示されている。この関連技術では、画像形成装置において、コントロールパネルを介してユーザにより自動転送モードが設定されると、転送処理制御部は、ＦＡＸ処理部により受信されたＦＡＸデータをデータ蓄積装置に一時的に蓄積させた後、自動メール分離／作成部を制御してＦＡＸデータを電子メールの添付ファイルとして付加し、転送用電子メールを作成させる。更に、転送処理制御部は、電子メール処理部を制御して所定のアドレスを有するＬＡＮ上のメールサーバにネットワーク通信部を介して転送用電子メールを送信させる。これにより、画像形成装置において、メモリ容量を大きくすることなく、ファクシミリデータを確実に受信できるようにする。
【先行技術文献】
【特許文献】
【００１２】
【特許文献１】特開２００５−２２９２９４号公報
【特許文献２】特開２００２−０５７６９５号公報
【特許文献３】特開２００３−２０９６５６号公報
【特許文献４】特開平０９−２００４８２号公報
【発明の概要】
【発明が解決しようとする課題】
【００１３】
しかし、電子メールの送受信が行えるファクシミリ装置において、分割形式のメールは、分割されたメールの合計サイズ分の受信メモリが必要となるため、１メールのサイズでは、装置の受信可能容量に収まる受信可能サイズか否か判断できないという問題があった。
【課題を解決するための手段】
【００１４】
本発明の電子メール対応ファクシミリ装置は、ＦＡＸ原稿をメールの添付ファイルとして送信するメールサーバから、メールサーバ上のメールの数と個々のメールのサイズを取得し、メールサーバにあるメールを受信し、受信メールをメールサーバから削除するメール受信制御部と、受信メールを蓄積するメールデータ蓄積部と、受信メールのサイズに応じて、蓄積されたメールに添付されたＦＡＸ原稿を出力する出力制御部とを具備する。メール受信制御部は、メールサーバ上の個々のメールのヘッダー情報を受信し、受信したヘッダー情報に基づいて、分割メールであるか否か判断し、分割メールである場合、分割メールの合計サイズを受信メールのサイズとして扱う。
【００１５】
本発明のＦＡＸ原稿処理方法は、電子メール対応ファクシミリ装置により実施されるＦＡＸ原稿処理方法であって、ＦＡＸ原稿をメールの添付ファイルとして送信するメールサーバから、メールサーバ上のメールの数と個々のメールのサイズを取得することと、メールサーバ上の個々のメールのヘッダー情報を受信し、受信したヘッダー情報に基づいて、分割メールであるか否か判断することと、分割メールである場合、分割メールの合計サイズを受信メールのサイズとして扱うことと、メールサーバにあるメールを受信し、受信メールをメールサーバから削除することと、受信メールを蓄積することと、受信メールのサイズに応じて、蓄積されたメールに添付されたＦＡＸ原稿を出力することとを含む。
【００１６】
本発明のプログラムは、ＦＡＸ原稿をメールの添付ファイルとして送信するメールサーバから、メールサーバ上のメールの数と個々のメールのサイズを取得するステップと、メールサーバ上の個々のメールのヘッダー情報を受信し、受信したヘッダー情報に基づいて、分割メールであるか否か判断するステップと、分割メールである場合、分割メールの合計サイズを受信メールのサイズとして扱うステップと、メールサーバにあるメールを受信し、受信メールをメールサーバから削除するステップと、受信メールを蓄積するステップと、受信メールのサイズに応じて、蓄積されたメールに添付されたＦＡＸ原稿を出力するステップとを電子メール対応ファクシミリ装置に実行させるためのプログラムである。なお、本発明のプログラムは、記憶装置や記憶媒体に格納することが可能である。
【発明の効果】
【００１７】
電子メール対応ファクシミリ装置において、分割形式のメールであっても、メールサイズが受信可能サイズか否か判断できるようにして、分割メールをまとめて受信メールとして処理できるようにし、受信できないサイズのメールがメールサーバに残り、この残されたメールがメールサーバの受信空き容量を圧迫して他のメールが受け取れなくなる、という問題を、特別な機器を別に用意することなく防ぐことができる。
【図面の簡単な説明】
【００１８】
【図１】本発明の第１実施形態に係るインターネットＦＡＸサービスシステムについて説明するための図である。
【図２】本発明の電子メール対応ファクシミリ装置の構成例を示すブロック図である。
【図３】ＰＯＰ３メール受信シーケンスについて説明するための図である。
【図４Ａ】メール転送時シーケンスについて説明するための図である。
【図４Ｂ】メール転送時シーケンスについて説明するための図である。
【図５Ａ】メール出力時シーケンスについて説明するための図である。
【図５Ｂ】メール出力時シーケンスについて説明するための図である。
【図６】分割メール受信シーケンスについて説明するための図である。
【図７】本発明の第２実施形態に係るインターネットＦＡＸサービスシステムを説明するための図である。
【発明を実施するための形態】
【００１９】
＜第１実施形態＞
以下に、本発明の第１実施形態について添付図面を参照して説明する。
図１では、電子メール対応ファクシミリ装置（以下、ＦＡＸ装置と呼ぶ）が受信可能容量（残量）を超える電子メール（以下、メールと呼ぶ）を受信した時のメールデータの流れを示す。
【００２０】
［全体構成］
図１に示すように、本発明に係るインターネットＦＡＸサービスシステムでは、第１端末１０と、メールサーバＡ２０と、ＦＡＸ装置３０と、メールサーバＢ４０と、第２端末５０を含む。
【００２１】
第１端末１０、メールサーバＡ２０、ＦＡＸ装置３０、メールサーバＢ４０、及び第２端末５０は、それぞれネットワークを介して接続されている。ネットワークは、メールの送受信が可能な通信回線である。有線、無線は問わない。ネットワークの例として、インターネット、ＬＡＮ（Ｌｏｃａｌ  Ａｒｅａ  Ｎｅｔｗｏｒｋ）、無線ＬＡＮ（Ｗｉｒｅｌｅｓｓ  ＬＡＮ）、ＷＡＮ（Ｗｉｄｅ  Ａｒｅａ  Ｎｅｔｗｏｒｋ）、バックボーン（Ｂａｃｋｂｏｎｅ）、ケーブルテレビ（ＣＡＴＶ）回線、固定電話網、携帯電話網、ＷｉＭＡＸ（ＩＥＥＥ  ８０２．１６ａ）、３Ｇ（３ｒｄ  Ｇｅｎｅｒａｔｉｏｎ）、専用線（ｌｅａｓｅ  ｌｉｎｅ）等が考えられる。但し、実際には、これらの例に限定されない。
【００２２】
第１端末１０は、インターネットＦＡＸサービスを利用できる電子メール対応ファクシミリ装置であり、ＦＡＸ原稿をメールの添付ファイルにして送受信を行う。
【００２３】
メールサーバＡ２０は、ＰＯＰ３（Ｐｏｓｔ  Ｏｆｆｉｃｅ  Ｐｒｏｔｏｃｏｌ）サーバＡ２１と、ＳＭＴＰ（Ｓｉｍｐｌｅ  Ｍａｉｌ  Ｔｒａｎｓｆｅｒ  Ｐｒｏｔｏｃｏｌ）サーバＡ２２を備える。
【００２４】
ＰＯＰ３サーバＡ２１は、ＦＡＸ装置３０がメール受信に使用するサーバである。ＳＭＴＰサーバＡ２２は、ＦＡＸ装置３０がメール送信に使用するサーバである。ＦＡＸ装置３０のメールアドレスをアドレスＡとする。
【００２５】
メールサーバＢ４０は、ＰＯＰ３サーバＢ４１と、ＳＭＴＰサーバＢ４２を備える。
【００２６】
ＰＯＰ３サーバＡ４１は、第２端末５０がメール受信に使用するサーバである。ＳＭＴＰサーバＢ４２は、第２端末５０がメール送信に使用するサーバである。第２端末５０のメールアドレスをアドレスＢとする。
【００２７】
［基本動作］
第１端末１０は、アドレスＡ宛にメールを送信する。第１端末１０からアドレスＡにメールを送信すると、ＰＯＰ３サーバＡ２１にメールが届く。
【００２８】
ＰＯＰ３サーバＡ２１は、アドレスＡ宛のメールを受信する。
【００２９】
ＦＡＸ装置３０は、ＰＯＰ３サーバＡ２１からメールを受信する。ＦＡＸ装置３０は、メールを受信する際、メールのサイズが装置受信可能容量を超えるメールと認識した場合、メールの受信開始後、受信データをメールの内容としたアドレスＢ宛のメールを作成し、作成したメールを送信する動作をメール受信と並行して行う。ＦＡＸ装置３０からアドレスＢにメールを送信すると、ＳＭＴＰサーバＡ２２にメールが届く。
【００３０】
また、ＦＡＸ装置３０は、メール受信及びメール送信が終了した後、受信したメールをメールサーバＡ２０から削除する。
【００３１】
ＳＭＴＰサーバＡ２２は、ＦＡＸ装置３０からアドレスＢ宛のメールを受信すると、アドレスＢ宛にメールを送信する。ＳＭＴＰサーバＡ２２からアドレスＢ宛にメールを送信すると、ＰＯＰ３サーバＢ４１にメールが届く。
【００３２】
ＰＯＰ３サーバＢ４１は、アドレスＢ宛のメールを受信する。
【００３３】
第２端末５０は、ＰＯＰ３サーバＢ４１からメールを受信する。
【００３４】
なお、ＰＯＰ３は一例に過ぎない。実際には、ＰＯＰ３の代わりに、ＩＭＡＰ４（Ｉｎｔｅｒｎｅｔ  Ｍｅｓｓａｇｅ  Ａｃｃｅｓｓ  Ｐｒｏｔｏｃｏｌ）、ＡＰＯＰ（Ａｕｔｈｅｎｔｉｃａｔｅｄ  Ｐｏｓｔ  Ｏｆｆｉｃｅ  Ｐｒｏｔｏｃｏｌ）等を用いることも考えられる。
【００３５】
また、ＦＡＸ装置３０は、メールのサイズが装置受信可能容量を超えるメールと認識した場合、アドレスＢ宛のメール転送と同時に、送信元の第１端末１０に対して、ＦＡＸ装置３０の受信可能容量を超えている旨の通知を、ＦＡＸ又は電子メールの形式で送信するようにしても良い。例えば、ＦＡＸ装置３０は、上記の通知内容を定型文として画像データ又はテキストデータ等の形式で予め用意しておき、メールのサイズが装置受信可能容量を超えるメールと認識した場合、上記の画像データ又はテキストデータ等に基づいてＦＡＸ原稿又はメールデータを作成し、送信元の第１端末１０に対して送信するようにする。
【００３６】
また、ＦＡＸ装置３０は、メールのサイズが装置受信可能容量を超えるメールと認識した場合、送信元の第１端末１０の識別情報（電話番号、メールアドレス等）を「容量超過データ送信者」として履歴に残し、所定期間内（例えば同日中）に所定の回数（例えば３回）、装置受信可能容量を超えるメールを送信してきた場合、この条件に該当した時点から一定期間（例えば２４時間）、第１端末１０からのメールの受信を拒否する設定を行うようにしても良い。
【００３７】
［ハードウェアの例示］
第１端末１０、ＦＡＸ装置３０、及び第２端末５０は、インターネットＦＡＸ対応の電子機器であれば良い。なお、ＦＡＸ装置３０は、第２端末５０と比べてメール受信可能容量が小さいものとする。
【００３８】
第１端末１０、ＦＡＸ装置３０、及び第２端末５０の例として、メールの送受信が可能なＰＣ（パソコン）、ファクシミリ装置、複合機、携帯電話機、カーナビ（カーナビゲーションシステム）、携帯型ゲーム機、家庭用ゲーム機、ガジェット（電子機器）、双方向テレビ、デジタルチューナー、デジタルレコーダー、情報家電（ｉｎｆｏｒｍａｔｉｏｎ  ｈｏｍｅ  ａｐｐｌｉａｎｃｅ）、ＯＡ（Ｏｆｆｉｃｅ  Ａｕｔｏｍａｔｉｏｎ）機器、ＩＰ電話機（ＩＰ  ｐｈｏｎｅ）等が考えられる。第１端末１０、ＦＡＸ装置３０、及び第２端末５０は、車両や船舶、航空機等の移動体に搭載されていても良い。
【００３９】
更に、第２端末５０は、プリンタ（印刷装置）やディスプレイ（表示装置）、或いはこれらに受信メールの内容を出力する端末又はサーバでも良い。
【００４０】
メールサーバＡ２０、及びメールサーバＢ４０の例として、ＰＣ、ワークステーション、メインフレーム、スーパーコンピュータ等の計算機を想定している。また、計算機に限らず、中継機器や周辺機器、計算機に搭載される拡張ボード、物理マシン上に構築された仮想マシン（Ｖｉｒｔｕａｌ  Ｍａｃｈｉｎｅ（ＶＭ））等でも良い。
【００４１】
なお、ＰＯＰ３サーバＢ２１、ＳＭＴＰサーバＢ２２、ＰＯＰ３サーバＢ４１、及びＳＭＴＰサーバＢ４２は、物理マシンや仮想マシンに限らず、ｓｅｎｄｍａｉｌ（登録商標）等のメール転送エージェント（ＭＴＡ：Ｍａｉｌ  Ｔｒａｎｓｆｅｒ  Ａｇｅｎｔ）等でも良い。
【００４２】
但し、実際には、これらの例に限定されない。
【００４３】
［装置構成］
図２に、本発明のメール対応ファクシミリ装置（ＦＡＸ装置）の構成を示す。
【００４４】
図２に示すように、メール対応ファクシミリ装置（ＦＡＸ装置）３０は、ネットワーク制御部３１と、メール受信制御部３２と、メールデータ蓄積部３３と、メール送信制御部３４と、転送先メールアドレス登録部３５と、出力制御部３６と、主制御部３７を備える。
【００４５】
ネットワーク制御部３１は、ネットワークとの接続を制御する。ネットワーク制御部３１の例として、ネットワーク通信に対応した基板（マザーボードやＩ／Ｏボード）等の半導体集積回路、モデム（ＭＯＤＥＭ：ＭＯｄｕｌａｔｏｒ−ＤＥＭｏｄｕｌａｔｏｒ）、ターミナルアダプタ（ＴＡ：Ｔｅｒｍｉｎａｌ  Ａｄａｐｔｅｒ）、ネットワークインターフェースカード（ＮＩＣ：Ｎｅｔｗｏｒｋ  Ｉｎｔｅｒｆａｃｅ  Ｃａｒｄ）等のネットワークアダプタや同様の拡張カード、アンテナ等の通信装置、接続口（コネクタ）等の通信ポート等が考えられる。但し、実際には、これらの例に限定されない。
【００４６】
メール受信制御部３２は、メール受信のためのＰＯＰ３プロトコルを制御する。メール受信制御部３２の例として、ｓｅｎｄｍａｉｌ（登録商標）等のメール転送エージェント（ＭＴＡ）、通信制御装置（ＣＣＵ：Ｃｏｍｍｕｎｉｃａｔｉｏｎ  Ｃｏｎｔｒｏｌ  Ｕｎｉｔ）、網制御装置（ＮＣＵ：Ｎｅｔｗｏｒｋ  Ｃｏｎｔｒｏｌ  Ｕｎｉｔ）等が考えられる。但し、実際には、これらの例に限定されない。
【００４７】
メールデータ蓄積部３３は、受信したメールのデータを蓄積する。メールデータ蓄積部３３の例として、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）やフラッシュメモリ等の半導体記憶装置、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等の補助記憶装置、又は、ＤＶＤ（Ｄｉｇｉｔａｌ  Ｖｅｒｓａｔｉｌｅ  Ｄｉｓｋ）やＳＤメモリカード（Ｓｅｃｕｒｅ  Ｄｉｇｉｔａｌ  ｍｅｍｏｒｙ  ｃａｒｄ）等のリムーバブルディスクや記憶媒体（メディア）等が考えられる。但し、実際には、これらの例に限定されない。
【００４８】
メール送信制御部３４は、メールの送信データの作成及び送信のためのＳＭＴＰプロトコルを制御する。メール送信制御部３４の例については、メール受信制御部３２と同様である。但し、実際には、これらの例に限定されない。
【００４９】
転送先メールアドレス登録部３５は、メールを転送する時の転送先アドレスを登録、記憶する。転送先メールアドレス登録部３５の例については、メールデータ蓄積部３３と同様である。
【００５０】
出力制御部３６は、受信したメールのデータ等を出力する。出力制御部３６の例として、出力内容を印刷用紙等に印刷するプリンタ等の印刷装置、ＬＣＤ（液晶ディスプレイ）やＰＤＰ（プラズマディスプレイ）、有機ＥＬディスプレイ（ｏｒｇａｎｉｃ  ｅｌｅｃｔｒｏｌｕｍｉｎｅｓｃｅｎｃｅ  ｄｉｓｐｌａｙ）等の表示装置、或いは、外部の表示装置や記憶装置に情報を出力するためのインターフェース（Ｉ／Ｆ：ｉｎｔｅｒｆａｃｅ）等が考えられる。但し、実際には、これらの例に限定されない。ここでは、出力制御部３６は、受信したメールのデータ等を印刷用紙に印刷するものとする。
【００５１】
主制御部３７は、上記の各制御部を監視し、受信メールの転送、あるいは印刷を指示する。主制御部３７の例として、ＣＰＵ（Ｃｅｎｔｒａｌ  Ｐｒｏｃｅｓｓｉｎｇ  Ｕｎｉｔ）、マイクロプロセッサ（ｍｉｃｒｏｐｒｏｃｅｓｓｏｒ）、マイクロコントローラ、或いは、専用の機能を有する半導体集積回路（Ｉｎｔｅｇｒａｔｅｄ  Ｃｉｒｃｕｉｔ（ＩＣ））等が考えられる。但し、実際には、これらの例に限定されない。
【００５２】
なお、ネットワーク制御部３１、メール受信制御部３２、メールデータ蓄積部３３、メール送信制御部３４、転送先メールアドレス登録部３５、出力制御部３６、及び主制御部３７は、プログラムに基づいて駆動し所定の処理を実行するプロセッサと、当該プログラムや各種データを記憶するメモリとによって実現されるものでも良い。但し、実際には、これらの例に限定されない。
【００５３】
［ＰＯＰ３メール受信シーケンス］
図３を用いて、図２のＦＡＸ装置３０のメール受信制御部３２が、ＰＯＰ３サーバＡ２１からメールを受信する時の動作シーケンスについて説明する。なお、このシーケンスは、ＲＦＣ１９３９（Ｒｅｑｕｅｓｔ  Ｆｏｒ  Ｃｏｍｍｅｎｔ  １９３９）に従った一般的なＰＯＰ３メール受信シーケンスである。
【００５４】
（１）接続
ＦＡＸ装置３０のメール受信制御部３２は、接続のシーケンスで、ＰＯＰ３サーバＡ２１に接続する。具体的には、ＦＡＸ装置３０のメール受信制御部３２は、ＰＯＰ３サーバＡ２１に接続要求と認証情報（ユーザーＩＤやパスワード等）を送信し、認証に成功した場合、ＰＯＰ３サーバＡ２１から接続許可の通知を受信する。
【００５５】
（２）メールサイズ取得
ＦＡＸ装置３０のメール受信制御部３２は、接続後、メールサイズ取得のシーケンスで、メールサーバＡ２０にあるメールの数と個々のメールのサイズを取得する。具体的には、ＦＡＸ装置３０のメール受信制御部３２は、ＰＯＰ３サーバＡ２１にＬＩＳＴコマンドを送信し、ＰＯ３サーバＡ２１にあるメールの数とメールのサイズに関する通知を受信する。
【００５６】
（３）メールデータ受信
次に、ＦＡＸ装置３０のメール受信制御部３２は、メールデータ受信のシーケンスで、受信したいメールのデータをＰＯＰ３メールサーバから受信する。
【００５７】
（４）メール削除
ＦＡＸ装置３０のメール受信制御部３２は、メールデータ受信完了後、メール削除のシーケンスで、受信したメールをメールサーバＡ２０から削除する。
【００５８】
（５）切断
その後、ＦＡＸ装置３０のメール受信制御部３２は、切断のシーケンスで、ＰＯＰ３サーバＡ２１との接続を開放する。
【００５９】
［メール転送時シーケンス］
次に、図４Ａ、図４Ｂを用いて、メール受信時のＦＡＸ装置３０の動作シーケンスについて説明する。ここでは、転送先メールアドレス登録部３５は、事前に転送先のメールアドレスを登録しておくものとする。
【００６０】
（１）メールサイズ取得
メール受信制御部３２は、受信するメールのサイズをメールサーバＡ２０のＰＯＰ３サーバＡ２１から受け取ると、そのサイズを主制御部３７に通知する。
【００６１】
（２）送信要求
主制御部３７は、メールサイズが装置受信可能容量を超えていた場合、メール送信制御部３４に対して、メールの作成及び送信を指示する。
【００６２】
（３）転送準備
メール送信制御部３４は、主制御部３７から指示を受けると、転送先メールアドレス登録部３５から転送先のメールアドレスを取得し、取得したメールアドレスを送信先として、メールサーバＡ２０のＳＭＴＰサーバＡ２２への接続を行う。
【００６３】
（４）受信要求
その後、主制御部３７は、メール受信制御部３２に対して、メールデータの受信を指示する。メール受信制御部３２は、主制御部３７からメールデータ受信の指示を受けると、ＰＯＰ３サーバＡ２１にＲＥＴＲコマンドを送信し、メールデータの受信を要求する。
【００６４】
（５）受信・蓄積
メール受信制御部３２は、ＰＯＰ３サーバＡ２１からメールデータを受信し、受信したメールデータをメールデータ蓄積部３３に蓄積する。
【００６５】
（６）送信
メール送信制御部３４は、ＳＭＴＰサーバＡ２２への接続後、メールデータ蓄積部３３のデータ蓄積を監視し、受信したメールデータが蓄積されると、蓄積されたメールデータを送信メールのメールデータとして、ＳＭＴＰサーバＡ２２へ送信する。ここでは、メール送信制御部３４は、メール受信制御部３２でのメールの受信・蓄積と並行して、ＳＭＴＰサーバＡ２２への送信を行う。
【００６６】
（７）送信完了
メール送信制御部３４は、メール受信制御部３２でのメール受信が完了し、受信したメールデータ全ての送信が完了すると、主制御部３７に送信完了を通知する。
【００６７】
（８）削除要求
主制御部３７は、メール受信制御部３２に対して、受信したメールの削除を指示する。メール受信制御部３２は、主制御部３７からメール削除の指示を受けると、ＰＯＰ３サーバＡ２１にＤＥＬＥコマンドを送信し、メールデータの削除を要求する。
【００６８】
（９）削除
ＰＯＰ３サーバＡ２１は、メールサーバＡ２０からメールを削除する。
【００６９】
メールサーバＡ２０に複数件のメールが存在する場合は、上記動作を繰り返す。
【００７０】
［メール出力時シーケンス］
次に、図５Ａ、図５Ｂを用いて、メール出力時のＦＡＸ装置３０の動作シーケンスについて説明する。
【００７１】
（１）メールサイズ取得
メール受信制御部３２は、受信するメールのサイズをメールサーバＡ２０のＰＯＰ３サーバＡ２１から受け取ると、そのサイズを主制御部３７に通知する。
【００７２】
（２）受信要求
主制御部３７は、メール受信制御部３２から通知されたメールサイズが装置受信可能容量以下であった場合は、メール送信制御部３４への指示を行わず、メール受信制御部３２に対して、メールデータの受信を指示する。メール受信制御部３２は、主制御部３７からメールデータ受信の指示を受けると、ＰＯＰ３サーバＡ２１にＲＥＴＲコマンドを送信し、メールデータの受信を要求する。
【００７３】
（３）受信・蓄積
メール受信制御部３２は、ＰＯＰ３サーバＡ２１からメールデータを受信し、受信したメールデータをメールデータ蓄積部３３に蓄積する。
【００７４】
（４）出力要求
主制御部３７は、出力制御部３６に対して出力の指示を行う。
【００７５】
（５）出力
出力制御部３６は、メールデータ蓄積部３３に蓄積されたメールデータを取り出し、出力する。例えば、出力制御部３６は、印刷用紙に印刷する。
【００７６】
（６）印刷完了
出力制御部３６は、受信メールの印刷を完了後、主制御部３７に印刷完了を通知する。
【００７７】
（７）削除要求
主制御部３７は、メール受信制御部３２に対して、受信したメールの削除を指示する。メール受信制御部３２は、主制御部３７からメール削除の指示を受けると、ＰＯＰ３サーバＡ２１にＤＥＬＥコマンドを送信し、メールデータの削除を要求する。
【００７８】
（８）削除
ＰＯＰ３サーバＡ２１は、メールサーバＡ２０からメールデータを削除する。
【００７９】
以上説明したように、本発明においては、ＦＡＸ装置が受信できないサイズのメールを他の装置やアドレスに転送することを可能とし、転送後に削除するようにしている。
【００８０】
このため、受信できないサイズのメールがメールサーバに残り、この残されたメールがメールサーバの受信空き容量を圧迫して他のメールが受け取れなくなる、という問題を、特別な機器を別に用意することなく防ぐことができる。
【００８１】
＜実施例＞
以下に、本発明の具体的な実施例について説明する。
メールのサイズが大きい場合には、１件のメールのサイズを小さくするために、一定サイズ毎に分割して、複数件の分割形式のメール（分割メール）として送られてくる場合がある。
【００８２】
分割形式のメールは、分割されたメールの合計サイズ分の受信メモリが必要となるため、１件のメールのサイズでは正確な受信可能サイズが判断できない。
【００８３】
メール受信制御部３２が、ＰＯＰ３サーバＡ２１からメールのサイズを取得する方法を、図６に示すように変更することで、分割メールにも対応することが可能となる。
【００８４】
［分割メール受信シーケンス］
図６を用いて、ＰＯＰ３サーバＡ２１に３通のメールがあり、このうちメール１、２が分割メールだった場合の動作シーケンスについて説明する。
【００８５】
（１）分割メールサイズ取得
ＦＡＸ装置３０のメール受信制御部３２は、分割メールサイズ取得シーケンスで、ＰＯ３サーバＡ２１にＬＩＳＴコマンドを送信し、ＰＯ３サーバＡ２１にあるメールの数と各メールのサイズを取得した後、ＴＯＰコマンドを使用し、先頭のメール（メール１）のヘッダー情報を取得する。
【００８６】
ＦＡＸ装置３０のメール受信制御部３２は、メール１のヘッダー情報から分割メールであることを示すＴＡＧ情報［Ｃｏｎｔｅｎｔ−Ｔｙｐｅ：  ｍｅｓｓａｇｅ／ｐａｒｔｉａｌ；  ｎｕｍｂｅｒ＝１；  ｔｏｔａｌ＝２；  ｉｄ＝“メッセージＩＤ”］を検索し、このＴＡＧ情報から、メール１が２つに分割されたメールのうちの１つであることを認識する（参照：ＲＦＣ  ２０４６  ５．２．２節）。
【００８７】
ＦＡＸ装置３０のメール受信制御部３２は、２つに分割されたメールのうちの残りの１つのメール（メール２）を検索するため、ＰＯＰ３サーバＡ２１にある残りのメールについてもＴＯＰコマンドを使用し、ヘッダー情報を取得する。
【００８８】
ＦＡＸ装置３０のメール受信制御部３２は、メール２のヘッダー情報から分割メールであることを示すＴＡＧ情報［Ｃｏｎｔｅｎｔ−Ｔｙｐｅ：  ｍｅｓｓａｇｅ／ｐａｒｔｉａｌ；  ｎｕｍｂｅｒ＝２；  ｔｏｔａｌ＝２；  ｉｄ＝“メッセージＩＤ”］を検索し、このＴＡＧ情報から、メール２が２つに分割されたメールのうちの残りの１つであることを認識する。
【００８９】
ＦＡＸ装置３０のメール受信制御部３２は、メール２がメール１の続きの分割メールであることを認識すると、メール１、メール２の合計サイズを受信メールのサイズ（１件分のサイズ）として扱う。
【００９０】
（２）分割メールデータ受信
ＦＡＸ装置３０のメール受信制御部３２は、ＰＯＰ３サーバＡ２１にＲＥＴＲコマンドを送信し、メール１及びメール２のメールデータの受信を要求する。ＰＯＰ３サーバＡ２１は、応答として、ＦＡＸ装置３０のメール受信制御部３２にメール１及びメール２のメールデータを送信する。ＦＡＸ装置３０のメール受信制御部３２は、メール１及びメール２のメールデータの受信が完了すると、ＰＯＰ３サーバＡ２１にＤＥＬＥコマンドを送信し、メール１及びメール２のメールデータの削除を要求する。ＰＯＰ３サーバＡ２１は、メールサーバＡ２０からメール１及びメール２のメールデータを削除し、メール１及びメール２のメールデータを削除した旨をＦＡＸ装置３０のメール受信制御部３２に通知する。
【００９１】
なお、メール１及びメール２のメールデータの受信については、同時でも良いし、連続でも良い。例えば、ＦＡＸ装置３０のメール受信制御部３２は、先にメール１のメールデータの受信・削除を行った後、続けてメール２のメールデータの受信・削除を行うようにしても良い。
【００９２】
ＦＡＸ装置３０のメール受信制御部３２は、図４Ａに示す「（１）メールサイズ取得」において、主制御部３７に通知するメールサイズを分割メール合計のサイズとすることで、図４Ａ、図４Ｂに示す「メール転送時シーケンス」で、メール１、メール２のメールを転送することが可能となる。
【００９３】
＜第２実施形態＞
以下に、本発明の第２実施形態について説明する。
本実施形態では、第１端末１０が、インターネットＦＡＸではなく通常のＦＡＸで、ＦＡＸ原稿をＦＡＸ装置３０に送信してきた場合に、一旦、メールサーバＡ２０でＦＡＸ原稿を受信し、メールサーバＡ２０がＦＡＸ原稿を電子メールの添付ファイルにしてＦＡＸ装置３０に送信する。
【００９４】
図７では、電子メール対応ファクシミリ装置（ＦＡＸ装置）宛のＦＡＸ原稿をメールサーバＡ２０が代理受信し、電子メール（メール）に変換してＦＡＸ装置に送信する時のメールデータの流れを示す。
【００９５】
［全体構成］
図７に示すように、本発明に係るインターネットＦＡＸサービスシステムでは、第１端末１０と、メールサーバＡ２０と、ＦＡＸ装置３０と、メールサーバＢ４０と、第２端末５０を含む。
【００９６】
第１端末１０、ＦＡＸ装置３０、メールサーバＢ４０、及び第２端末５０については、基本的に第１実施形態と同様である。
【００９７】
本実施形態では、メールサーバＡ２０は、ＰＯＰ３サーバＡ２１と、ＳＭＴＰサーバＡ２２と、ＦＡＸ代理受信サーバＡ２３を備える。
【００９８】
ＰＯＰ３サーバＡ２１及びＳＭＴＰサーバＡ２２については、基本的に第１実施形態と同様である。
【００９９】
ＦＡＸ代理受信サーバＡ２３は、ＦＡＸ装置３０宛のＦＡＸ原稿の画像データを代理受信し、ＦＡＸ原稿をメールの添付ファイルにして、ＦＡＸ原稿を添付したメールを作成し、ＦＡＸ装置３０に送信するサーバである。ＦＡＸ代理受信サーバＡ２３は、ＦＡＸ装置３０のメールアドレス（アドレスＡ）を記憶しているものとする。
【０１００】
ここでは、ＦＡＸ代理受信サーバＡ２３は、電子メール対応ファクシミリ装置としての機能を有するものとする。すなわち、ＦＡＸ代理受信サーバＡ２３は、公衆回線を通じて転送されてきた画像データを受信する機能（ＦＡＸ受信機能）と、この画像データを添付したメールを作成して送信する機能（メール送信機能）を有する。更に、ＦＡＸ代理受信サーバＡ２３は、公衆回線を通じて転送されてきた文書データを読み取って画像データに変換する機能（画像データ化機能）を有していても良い。なお、ＦＡＸ代理受信サーバＡ２３は、物理マシンでも仮想マシンでも良い。
【０１０１】
［基本動作］
第１端末１０は、ＦＡＸ代理受信サーバＡ２３宛にＦＡＸ原稿の画像データを送信する。第１端末１０からＦＡＸ代理受信サーバＡ２３宛にＦＡＸで画像データを送信すると、ＦＡＸ代理受信サーバＡ２３にＦＡＸ原稿の画像データが届く。
【０１０２】
ＦＡＸ代理受信サーバＡ２３は、ＦＡＸ原稿の画像データを受信すると、ＦＡＸ原稿をメールの添付ファイルにして、ＦＡＸ原稿を添付したメールを作成し、アドレスＡ宛に送信する。このとき、ＦＡＸ代理受信サーバＡ２３は、送信メールのメールデータを、ＳＭＴＰサーバＡ２２へ送信する。すなわち、ＦＡＸ代理受信サーバＡ２３からアドレスＡ宛にメールを送信すると、ＳＭＴＰサーバＡ２２に送信メールが届く。
【０１０３】
ＳＭＴＰサーバＡ２２は、アドレスＡ宛にメールを送信する。ＳＭＴＰサーバＡ２２からアドレスＡにメールを送信すると、ＰＯＰ３サーバＡ２１にメールが届く。
【０１０４】
ここでは、ＦＡＸ代理受信サーバＡ２３は、メールサーバＡ２０の一部である場合を想定しているが、実際には、メールサーバＡ２０から独立していても良い。ＦＡＸ代理受信サーバＡ２３がメールサーバＡ２０から独立している場合、ＦＡＸ代理受信サーバＡ２３は、ＦＡＸ原稿の画像データを受信すると、ＦＡＸ原稿をメールの添付ファイルにして、ＦＡＸ原稿を添付したメールを作成し、アドレスＡ宛に送信する。このとき、ＦＡＸ代理受信サーバＡ２３からアドレスＡ宛のメールは、ＳＭＴＰサーバＡ２２ではなく、ＰＯＰ３サーバＡ２１が受信する。
【０１０５】
以降の動作については、基本的に第１実施形態と同様である。
【０１０６】
ＰＯＰ３サーバＡ２１は、アドレスＡ宛のメールを受信する。
【０１０７】
ＦＡＸ装置３０は、ＰＯＰ３サーバＡ２１からメールを受信する。ＦＡＸ装置３０は、メールを受信する際、メールのサイズが装置受信可能容量を超えるメールと認識した場合、メールの受信開始後、受信データをメールの内容としたアドレスＢ宛のメールを作成し、作成したメールを送信する動作をメール受信と並行して行う。ＦＡＸ装置３０からアドレスＢにメールを送信すると、ＳＭＴＰサーバＡ２２にメールが届く。
【０１０８】
また、ＦＡＸ装置３０は、メール受信及びメール送信が終了した後、受信したメールをメールサーバＡ２０から削除する。
【０１０９】
ＳＭＴＰサーバＡ２２は、アドレスＢ宛にメールを送信する。ＳＭＴＰサーバＡ２２からアドレスＢにメールを送信すると、ＰＯＰ３サーバＢ４１にメールが届く。
【０１１０】
ＰＯＰ３サーバＢ４１は、アドレスＢ宛のメールを受信する。
【０１１１】
第２端末５０は、ＰＯＰ３サーバＢ４１からメールを受信する。
【０１１２】
他の構成、動作については、基本的に第１実施形態と同様である。
【０１１３】
＜他の実施例＞
上記の各実施形態において、ＦＡＸ原稿の画像ファイルに限らず、動画ファイルや音声ファイルのような、大容量のファイルが添付されたメールを転送の対象とすることもできる。
【０１１４】
また、上記の各実施形態において、本発明の電子メール対応ファクシミリ装置が未対応の不明ファイルが添付されたメールを転送の対象とすることもできる。例えば、本発明の電子メール対応ファクシミリ装置には存在しないアプリケーションプログラムで使用される形式（フォーマット）のファイルが添付されたメールを、ＰＣ等に転送することが考えられる。ファイル形式は、拡張子で判断できる。すなわち、本発明の電子メール対応ファクシミリ装置は、受信メールに、事前に登録されていない拡張子のファイルが添付されている場合に、ＰＣ等に転送するようにすることもできる。
【０１１５】
また、上記の各実施形態において、本発明の電子メール対応ファクシミリ装置は、メールデータの出力に失敗した際に、当該メールデータを転送の対象とすることもできる。メールサイズ等が基準を満たしていても、データ破損や出力装置自体の故障等、何らかの事情でメールデータが出力できない場合がある。このような場合に、そのままメールデータを破棄したり、電子メール対応ファクシミリ装置内に残したりすることなく、ＰＣ等の他の装置に転送し、データ自体を確保しておくことが考えられる。
【０１１６】
更に、上記の各実施形態において、ＦＡＸ原稿をメール形式ではなくファイル形式で送受信する事例を想定し、プロトコルとして、ＰＯＰ３及びＳＭＴＰに限らず、ＨＴＴＰ（ＨｙｐｅｒＴｅｘｔ  Ｔｒａｎｓｆｅｒ  Ｐｒｏｔｏｃｏｌ）、ＦＴＰ（Ｆｉｌｅ  Ｔｒａｎｓｆｅｒ  Ｐｒｏｔｏｃｏｌ）、ＳＭＢ（Ｓｅｒｖｅｒ  Ｍｅｓｓａｇｅ  Ｂｌｏｃｋ）、ＳＩＰ（Ｓｅｓｓｉｏｎ  Ｉｎｉｔｉａｔｉｏｎ  Ｐｒｏｔｏｃｏｌ）、ＳＯＡＰ（Ｓｉｍｐｌｅ  Ｏｂｊｅｃｔ  Ａｃｃｅｓｓ  Ｐｒｏｔｏｃｏｌ）等を用いることも考えられる。
【０１１７】
なお、上記の各実施形態は、組み合わせて実施することも可能である。
【０１１８】
＜本発明の特徴＞
本発明は、メールの送受信が行えるファクシミリ装置において、装置受信可能容量を超えるメールを受信した場合、他のメールアドレスに転送し、他の機器（パソコン等）で受信できるようにしたことを特徴としたメール対応ファクシミリ装置（ＦＡＸ装置）に関するものである。
【０１１９】
本発明では、メール送受信が可能なファクシミリ装置において、メール受信を行う際に、受信メールのサイズを判定し、装置搭載のメモリ容量を超えるメールについては、受信データをメール送信のデータとして使用し、指定されたアドレスにメール送信する。
【０１２０】
印刷できないファイルが添付されたメールを受信した場合、他のメールアドレスに転送する
【０１２１】
ファクシミリ装置において、メール受信とメール送信を並行して行う。
【０１２２】
メール受信終了後、受信データを全て送信した後、受信メールをメールサーバから削除する。
【０１２３】
本発明では、メール送受信が可能なファクシミリ装置において、分割形式のメールであっても、メールサイズが受信可能サイズか否か判断できるようにして、分割メールをまとめて受信メールとして確実に処理できるようにした。
【０１２４】
これにより、受信できないサイズのメールがメールサーバに残り、この残されたメールがメールサーバの受信空き容量を圧迫して他のメールが受け取れなくなる、という問題を、特別な機器を別に用意することなく防ぐことができる。
【０１２５】
＜付記＞
上記の実施形態の一部又は全部は、以下の付記のように記載することも可能である。但し、実際には、以下の記載例に限定されない。
【０１２６】
（付記１）
ＦＡＸ原稿をメールの添付ファイルとして送信するメールサーバから、前記メールサーバ上のメールの数と個々のメールのサイズを取得し、前記メールサーバ上の個々のメールのヘッダー情報を受信し、受信したヘッダー情報に基づいて、分割メールであるか否か判断し、分割メールである場合、分割メールの合計サイズを受信メールのサイズとして扱い、前記メールサーバにあるメールを受信し、受信メールを前記メールサーバから削除するメール受信制御部と、
前記受信メールを蓄積するメールデータ蓄積部と、
前記受信メールのサイズに応じて、前記蓄積されたメールに添付されたＦＡＸ原稿を出力する出力制御部と
転送先のメールアドレスを取得し、取得したメールアドレスを送信先として、前記蓄積されたメールを送信するメール送信制御部と、
前記メール受信制御部、前記出力制御部、及び前記メール送信制御部を制御する主制御部と
を具備し、
前記主制御部は、
前記メール受信制御部から前記受信メールのサイズの通知を受け取り、前記メール受信制御部に対して、前記メールサーバにあるメールの受信を指示する手段と、
前記受信メールのサイズが受信可能容量を超えていた場合、前記メール送信制御部に対して、前記蓄積されたメールの転送を指示する手段と、
前記受信メールのサイズが受信可能容量を超えていない場合、前記出力制御部に対して、前記蓄積されたメールに添付されたＦＡＸ原稿の出力を指示する手段と
を具備する
電子メール対応ファクシミリ装置。
【０１２７】
（付記２）
付記１に記載の電子メール対応ファクシミリ装置であって、
前記メール受信制御部は、
前記メールサーバ上の個々のメールのうち、先頭のメールのヘッダー情報を受信し、受信したヘッダー情報に基づいて、前記先頭のメールが分割メールであるか否か判断する手段と、
前記先頭のメールが分割メールである場合、他のメールのヘッダー情報を受信し、受信したヘッダー情報に基づいて、前記先頭のメールの続きの分割メールであるか否か判断する手段と、
当該分割メール全ての合計サイズを受信メールのサイズとして扱い、当該分割メール全てを受信し、受信した分割メール全てを前記メールサーバ上から削除する手段と
を具備する
電子メール対応ファクシミリ装置。
【０１２８】
以上、本発明の実施形態を詳述してきたが、実際には、上記の実施形態に限られるものではなく、本発明の要旨を逸脱しない範囲の変更があっても本発明に含まれる。
【符号の説明】
【０１２９】
１０…  第１端末
２０…  メールサーバＡ
２１…  ＰＯＰ３（Ｐｏｓｔ  Ｏｆｆｉｃｅ  Ｐｒｏｔｏｃｏｌ）サーバＡ
２２…  ＳＭＴＰ（Ｓｉｍｐｌｅ  Ｍａｉｌ  Ｔｒａｎｓｆｅｒ  Ｐｒｏｔｏｃｏｌ）サーバＡ
２３…  ＦＡＸ代理受信サーバＡ
３０…  電子メール対応ファクシミリ装置（ＦＡＸ装置）
３１…  ネットワーク制御部
３２…  メール受信制御部
３３…  メールデータ蓄積部
３４…  メール送信制御部
３５…  転送先メールアドレス登録部
３６…  出力制御部
３７…  主制御部
４０…  メールサーバＢ
４１…  ＰＯＰ３サーバＢ
４２…  ＳＭＴＰサーバＢ
５０…  第２端末
【図１】
0005201606.tif 000002
【図２】
0005201606.tif 000003
【図３】
0005201606.tif 000004
【図４Ａ】
0005201606.tif 000005
【図４Ｂ】
0005201606.tif 000006
【図５Ａ】
0005201606.tif 000007
【図５Ｂ】
0005201606.tif 000008
【図６】
0005201606.tif 000009
【図７】
0005201606.tif 000010